(57)【要約】【課題】スイッチング電源回路の高効率化、及び高Ｓ／Ｎ化を実現する。【解決手段】ＣＰＵ１１は、静止画キャプチャ動作モード（シャッタ半押し、シャッタ全押し）、動画記録動作モード（記録中）、高感度に設定したＲＥＣ（記録）スルー動作モード（非記録）など、高Ｓ／Ｎを必要とする動作モードでは、パルス周期が固定のＰＷＭ固定動作モードでスイッチング電源２０を動作させるべく制御信号により指示する。また、ＣＰＵ１１は、ノーマル感度ＲＥＣスルー動作モード（非記録）、ＰＬＡＹ（再生）モード、メニュー操作モード、電源起動／オフモードなど、高Ｓ／Ｎを必要としない動作モードでは、ＰＷＭ制御とＰＦＭ制御とを負荷の大きさに応じて切り替える自動切り替え動作モードでスイッチング電源２０を動作させるべく制御信号により指示する。【選択図】図１
2011114992.tif 000002
【特許請求の範囲】
【請求項１】
各回路へ一定の値の出力電圧を供給するスイッチング電源回路を備える電子機器であって、
前記スイッチング電源回路のスイッチング信号を固定パルス周期で制御し、出力電圧を一定の値に保つようにＰＷＭ制御を実行するＰＷＭ制御手段と、
負荷の大きさに応じてパルス周期を切り換えて前記スイッチング電源回路のスイッチング信号を制御し、出力電圧を一定の値に保つようにＰＦＭ制御を実行するＰＦＭ制御手段と、
当該電子機器が高Ｓ／Ｎを必要とする動作モードでは、前記ＰＷＭ制御手段によるＰＷＭ制御を実行し、当該電子機器が高Ｓ／Ｎを必要としない動作モードでは、前記ＰＷＭ制御手段によるＰＷＭ制御と前記ＰＦＭ制御手段によるＰＦＭ制御とを負荷の大きさに応じて切り替える電源回路制御手段と
を備えることを特徴とする電子機器。
【請求項２】
スイッチング信号を固定パルス周期で制御し、出力電圧を一定の値に保つようにＰＷＭ制御を実行するＰＷＭ制御手段と、負荷の大きさに応じてパルス周期を切り換えて前記スイッチング電源回路のスイッチング信号を制御し、出力電圧を一定の値に保つようにＰＦＭ制御を実行するＰＦＭ制御手段と、外部からの指示に従って、前記ＰＷＭ制御手段によるＰＷＭ制御、または、前記ＰＦＭ制御手段によるＰＦＭ制御を実行することにより、前記スイッチング信号を制御する電源回路制御手段とを備え、各回路へ一定の値の出力電圧を供給するスイッチング電源回路を備える電子機器であって、
当該電子機器が高Ｓ／Ｎを必要とする動作モードでは、前記ＰＷＭ制御手段によるＰＷＭ制御を実行させるべく前記電源回路制御手段に指示し、当該電子機器が高Ｓ／Ｎを必要としない動作モードでは、前記ＰＷＭ制御手段によるＰＷＭ制御と前記ＰＦＭ制御手段によるＰＦＭ制御とを負荷の大きさに応じて切り替えるべく前記電源回路制御手段に指示する制御手段を備えることを特徴とする電子機器。
【請求項３】
当該電子機器は、被写体を撮影する撮像装置であることを特徴とする請求項１または２に記載の電子機器。
【請求項４】
前記高Ｓ／Ｎを必要とする動作モードは、少なくとも、静止画キャプチャ動作モード、動画記録動作モード（記録中）、感度が所定値以上に設定されたＲＥＣ（記録）スルー動作モードを含む
ことを特徴とする請求項３に記載の電子機器。
【請求項５】
各回路へ一定の値の出力電圧を供給するスイッチング電源回路の電源回路制御方法であって、
前記スイッチング電源回路のスイッチング信号を固定パルス周期で制御し、出力電圧を一定の値に保つようにＰＷＭ制御を実行するステップと、
負荷の大きさに応じてパルス周期を切り換えて前記スイッチング電源回路のスイッチング信号を制御し、出力電圧を一定の値に保つようにＰＦＭ制御を実行するステップと、
当該電子機器が高Ｓ／Ｎを必要とする動作モードでは、前記ＰＷＭ制御を実行し、当該電子機器が高Ｓ／Ｎを必要としない動作モードでは、前記ＰＷＭ制御と前記ＰＦＭ制御とを負荷の大きさに応じて切り替えるステップと
を含むことを特徴とする電源回路制御方法。
【請求項６】
スイッチング信号を固定パルス周期で制御し、出力電圧を一定の値に保つようにＰＷＭ制御を実行するＰＷＭ制御手段と、負荷の大きさに応じてパルス周期を切り換えて前記スイッチング電源回路のスイッチング信号を制御し、出力電圧を一定の値に保つようにＰＦＭ制御を実行するＰＦＭ制御手段と、外部からの指示に従って、前記ＰＷＭ制御手段によるＰＷＭ制御、または、前記ＰＦＭ制御手段によるＰＦＭ制御を実行することにより、前記スイッチング信号を制御する電源回路制御手段とを備え、各回路へ一定の値の出力電圧を供給するスイッチング電源回路を備える電子機器の電源回路制御方法であって、
前記電子機器が高Ｓ／Ｎを必要とする動作モードでは、前記ＰＷＭ制御手段によるＰＷＭ制御を実行させるべく前記電源回路制御手段に指示するステップと、
前記電子機器が高Ｓ／Ｎを必要としない動作モードでは、前記ＰＷＭ制御手段によるＰＷＭ制御と前記ＰＦＭ制御手段によるＰＦＭ制御とを負荷の大きさに応じて切り替えるべく前記電源回路制御手段に指示するステップと
を含むことを特徴とする電源回路制御方法。
【発明の詳細な説明】
【技術分野】
【０００１】
本発明は、スイッチング電源を備えるデジタルカメラなどの電子機器、及び電源回路制御方法に関する。
【背景技術】
【０００２】
一般に高効率な電源として、スイッチング電源がある。スイッチング電源には、負荷の状態に拘わらず、パルス周期が固定のＰＷＭ（Pulse Width Modulation）制御を行う制御方式（例えば、特許文献１参照）や、負荷の状態に応じてパルス周期を切り換えるか、スキップするＰＦＭ（Pulse Frequency
Modulation）制御があり、さらには、負荷の状態に応じて両者を切り替える制御方式（例えば、特許文献２参照、特許文献３参照）もある。ＰＦＭ制御には、負荷の状態に応じて、ＰＷＭ制御とＰＦＭ制御とを自動的に切り替える方式、あるいは、外部端子より、ＰＷＭ制御とＰＦＭ制御との切り替えを制御する方式がある。
【０００３】
図３は、ＰＷＭ制御とＰＦＭ制御とでの軽負荷時における電源効率の一例を示す概念図である。パルス周期が固定のＰＷＭ制御による制御方式では、負荷応答がよく、電源リップルが小さいが、軽負荷時は、図３に示すように、ＰＦＭ制御に比べて電源効率が悪い（スイッチング周波数が固定のため、軽負荷時は、スイッチングが目立つ）という特徴がある。
【０００４】
また、図４は、動作モードに応じた電源リップルの違いの一例を示す概念図である。負負荷の状態に応じて、ＰＷＭ制御と、負荷の状態に応じてパルス周期を切り換えるか、スキップするＰＦＭ（Pulse Frequency
Modulation）制御とを切り替える制御方式では、軽負荷動作モード時に、スイッチング周波数を低下させるか、あるいはスキップさせて損失を低減するＰＦＭ制御に切り替えるため、軽負荷動作モード時の効率が上がるが、図４に示すように、電源リップルが大きくなるという傾向がある。ゆえに、自動切り替えの切り替えポイントは、各製造メーカの設計事項に依存する。
【先行技術文献】
【特許文献】
【０００５】
【特許文献１】特許第３１９１２７５号公報
【特許文献２】特開２００５−１６０２５４号公報
【特許文献３】特開平１０−０１４２１７号公報
【発明の概要】
【発明が解決しようとする課題】
【０００６】
近年、省電力化の推進に伴い、デバイスの消費電力を減少させる一方、機器の高機能化に伴い、機能を動作させた場合の消費電力が増加する傾向があり、定常電力とＭＡＸ電力との差が大きくなってきている。したがって、定常電力を減らすこと、すなわち、軽負荷時の電力を減らすことが、電池寿命を大きく左右する。
【０００７】
例えば、スイッチング電源を備えるデジタルカメラは、アナログブロックとデジタルブロックとを備えている。アナログブロックは、撮像画像へのノイズ重畳を防止すべく、高Ｓ／Ｎを得るために、デジタルブロックに比べて、リップルの少ない低ノイズの電源が必要である。そのため、デジタルブロックの電源とは、別体の電源を用意したり、フィルタで分離したりすることが多いが、回路規模が大きくなってしまう。
【０００８】
アナログブロックの消費電流は、定常的には１〜８０ｍＡであり、パルス周期が固定のＰＷＭ制御では、非常に効率が悪くなる領域にある。そのため、負荷の状態に応じてパルス周期を切り換えるＰＦＭ制御に切り替えることが考えられる。しかしながら、１〜８０ｍＡの負荷領域では、軽負荷動作モードで動作することになり、電源リップルが大きくなり、アナログブロックに用いるには、Ｓ／Ｎ悪化の原因となる。
【０００９】
このように、従来技術では、電源効率の高効率化、及び高Ｓ／Ｎ化の双方を実現することができないという問題があった。
【００１０】
そこで本発明は、スイッチング電源回路の高効率化、及び高Ｓ／Ｎ化を実現することができる電子機器、及び電源回路制御方法を提供することを目的とする。
【課題を解決するための手段】
【００１１】
上記目的達成のため、請求項１記載の発明は、各回路へ一定の値の出力電圧を供給するスイッチング電源回路を備える電子機器であって、前記スイッチング電源回路のスイッチング信号を固定パルス周期で制御し、出力電圧を一定の値に保つようにＰＷＭ制御を実行するＰＷＭ制御手段と、負荷の大きさに応じてパルス周期を切り換えて前記スイッチング電源回路のスイッチング信号を制御し、出力電圧を一定の値に保つようにＰＦＭ制御を実行するＰＦＭ制御手段と、当該電子機器が高Ｓ／Ｎを必要とする動作モードでは、前記ＰＷＭ制御手段によるＰＷＭ制御を実行し、当該電子機器が高Ｓ／Ｎを必要としない動作モードでは、前記ＰＷＭ制御手段によるＰＷＭ制御と前記ＰＦＭ制御手段によるＰＦＭ制御とを負荷の大きさに応じて切り替える電源回路制御手段とを備えることを特徴とする電子機器である。
【００１２】
また、上記目的達成のため、請求項２記載の発明は、スイッチング信号を固定パルス周期で制御し、出力電圧を一定の値に保つようにＰＷＭ制御を実行するＰＷＭ制御手段と、負荷の大きさに応じてパルス周期を切り換えて前記スイッチング電源回路のスイッチング信号を制御し、出力電圧を一定の値に保つようにＰＦＭ制御を実行するＰＦＭ制御手段と、外部からの指示に従って、前記ＰＷＭ制御手段によるＰＷＭ制御、または、前記ＰＦＭ制御手段によるＰＦＭ制御を実行することにより、前記スイッチング信号を制御する電源回路制御手段とを備え、各回路へ一定の値の出力電圧を供給するスイッチング電源回路を備える電子機器であって、当該電子機器が高Ｓ／Ｎを必要とする動作モードでは、前記ＰＷＭ制御手段によるＰＷＭ制御を実行させるべく前記電源回路制御手段に指示し、当該電子機器が高Ｓ／Ｎを必要としない動作モードでは、前記ＰＷＭ制御手段によるＰＷＭ制御と前記ＰＦＭ制御手段によるＰＦＭ制御とを負荷の大きさに応じて切り替えるべく前記電源回路制御手段に指示する制御手段を備えることを特徴とする電子機器である。
【００１３】
また、好ましい態様として、例えば請求項３記載のように、請求項１または２に記載の電子機器において、当該電子機器は、被写体を撮影する撮像装置であることを特徴とする。
【００１４】
また、好ましい態様として、例えば請求項４記載のように、請求項３に記載の電子機器において、前記高Ｓ／Ｎを必要とする動作モードは、少なくとも、静止画キャプチャ動作モード、動画記録動作モード（記録中）、感度が所定値以上に設定されたＲＥＣ（記録）スルー動作モードを含むことを特徴とする。
【００１５】
また、上記目的達成のため、請求項５記載の発明は、各回路へ一定の値の出力電圧を供給するスイッチング電源回路の電源回路制御方法であって、前記スイッチング電源回路のスイッチング信号を固定パルス周期で制御し、出力電圧を一定の値に保つようにＰＷＭ制御を実行するステップと、負荷の大きさに応じてパルス周期を切り換えて前記スイッチング電源回路のスイッチング信号を制御し、出力電圧を一定の値に保つようにＰＦＭ制御を実行するステップと、当該電子機器が高Ｓ／Ｎを必要とする動作モードでは、前記ＰＷＭ制御を実行し、当該電子機器が高Ｓ／Ｎを必要としない動作モードでは、前記ＰＷＭ制御と前記ＰＦＭ制御とを負荷の大きさに応じて切り替えるステップとを含むことを特徴とする電源回路制御方法である。
【００１６】
また、上記目的達成のため、請求項６記載の発明は、スイッチング信号を固定パルス周期で制御し、出力電圧を一定の値に保つようにＰＷＭ制御を実行するＰＷＭ制御手段と、負荷の大きさに応じてパルス周期を切り換えて前記スイッチング電源回路のスイッチング信号を制御し、出力電圧を一定の値に保つようにＰＦＭ制御を実行するＰＦＭ制御手段と、外部からの指示に従って、前記ＰＷＭ制御手段によるＰＷＭ制御、または、前記ＰＦＭ制御手段によるＰＦＭ制御を実行することにより、前記スイッチング信号を制御する電源回路制御手段とを備え、各回路へ一定の値の出力電圧を供給するスイッチング電源回路を備える電子機器の電源回路制御方法であって、前記電子機器が高Ｓ／Ｎを必要とする動作モードでは、前記ＰＷＭ制御手段によるＰＷＭ制御を実行させるべく前記電源回路制御手段に指示するステップと、前記電子機器が高Ｓ／Ｎを必要としない動作モードでは、前記ＰＷＭ制御手段によるＰＷＭ制御と前記ＰＦＭ制御手段によるＰＦＭ制御とを負荷の大きさに応じて切り替えるべく前記電源回路制御手段に指示するステップとを含むことを特徴とする電源回路制御方法である。
【発明の効果】
【００１７】
この発明によれば、スイッチング電源回路の高効率化、及び高Ｓ／Ｎ化を実現することができるという利点が得られる。
【図面の簡単な説明】
【００１８】
【図１】本発明の実施形態によるデジタルカメラの構成を示すブロック図である。
【図２】本実施形態によるデジタルカメラの基本的な動作を参照してスイッチング電源の制御方法を説明するためのフローチャートである。
【図３】ＰＷＭ制御とＰＦＭ制御とでの軽負荷時における電源効率の一例を示す概念図である。
【図４】動作モードに応じた電源リップルの違いの一例を示す概念図である。
【発明を実施するための形態】
【００１９】
以下、本発明の実施の形態を、図面を参照して説明する。
【００２０】
Ａ．実施形態の構成
図１は、本発明の実施形態によるデジタルカメラの構成を示すブロック図である。図において、デジタルカメラ１は、撮影レンズ２、レンズ駆動ブロック３、絞り兼用シャッタ４、ＣＣＤ５、ＴＧ（timing generator）６、ユニット回路７、ガンマ補正処理部８、ＣＰＵ１１、ＤＲＡＭ１２、メモリ１３、フラッシュメモリ１４、画像表示部１５、キー入力部１６、ストロボ駆動部１７、ストロボ発光部１８、カードＩ／Ｆ１９、スイッチング電源２０、バッテリ（二次電池）２１を備えている。
【００２１】
撮影レンズ２は、図示しないフォーカスレンズ、ズームレンズを含み、レンズ駆動ブロック３が接続されている。このレンズ駆動ブロック３は、図示しないフォーカスレンズ、ズームレンズをそれぞれ光軸方向に駆動させるモータと、ＣＰＵ１１からの制御信号にしたがってフォーカスモータ、ズームモータをそれぞれ光軸方向に駆動させるフォーカスモータドライバ、ズームモータドライバから構成されている。
【００２２】
絞り４は、図示しない駆動回路を含み、駆動回路はＣＰＵ１１から送られてくる制御信号にしたがって絞りを動作させる。この絞り４は、撮影レンズ２から入ってくる光の量を制御する。また、本実施形態によるデジタルカメラは、図示しない電子シャッタ機構を備えており、電子シャッタ機構により、ＣＣＤ５に光を当てる時間を制御する。露出は、この絞りとシャッタ速度とによって定めることができる。
【００２３】
ＣＣＤ５（撮像素子）は、撮影レンズ２、絞りシャッタ４、ならびに電子シャッタ機構を介して投影された被写体の光を電気信号に変換し、撮像信号としてユニット回路７に出力する。また、ＣＣＤ５は、ＴＧ６によって生成された所定周波数のタイミング信号にしたがって駆動される。
【００２４】
ユニット回路７は、ＣＣＤ５から出力される撮像信号を相関二重サンプリングして保持するＣＤＳ（Correlated
Double Sampling）回路、そのサンプリング後の撮像信号の利得調整を設定された感度に応じて行うＧＣ（Gain
Control）回路、その自動利得調整後のアナログの撮像信号をデジタル信号に変換するＡ／Ｄ変換器から構成されており、ＣＣＤ５の撮像信号は、ユニット回路７を経てデジタル信号としてガンマ設定部８に送られる。なお、ユニット回路７にＴＧ６が接続されている。
【００２５】
ガンマ補正処理部８は、ユニット回路７から送られてきた画像データ（デジタル信号）のＬＶ値（明るさを示す指標）に応じて、撮影された画像のガンマ特性を補正する。ＣＰＵ１１は、ユニット回路７から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭ−ＪＰＥＧ形式又はＭＰＥＧ形式の圧縮・伸張）の処理などを行う機能を有するとともに、デジタルカメラ１の各部を制御するワンチップマイコンである。
【００２６】
ＤＲＡＭ１２は、ＣＣＤ５によって撮像された後、ＣＰＵ１１に送られてきた画像データを一時記憶するバッファメモリとして使用されるとともに、ＣＰＵ１１のワーキングメモリとして使用される。メモリ１３は、ＣＰＵ１１によるデジタルカメラ１の各部の制御に必要なプログラム、及び各部の制御に必要なデータが記録されており、ＣＰＵ１１は、このプログラムにしたがって処理を行う。フラッシュメモリ１４やメモリ・カード３０は、ＣＣＤ５によって撮像された画像データなどを保存しておく記録媒体である。
【００２７】
画像表示部１５は、カラーＬＣＤとその駆動回路を含み、撮影待機状態にあるときには、ＣＣＤ５によって撮像された被写体をスルー画像として表示し、記録画像の再生時には、保存用フラッシュメモリ１４やメモリ・カード２０から読み出され、伸張された記録画像を表示させる。キー入力部１６は、シャッタボタン、モードキー、ＳＥＴキー、十字キー等の複数の操作キーを含み、ユーザのキー操作に応じた操作信号をＣＰＵ１１に出力する。
【００２８】
ストロボ駆動部１７は、ＣＰＵ１１の制御信号にしたがって、ストロボ発光部１８を閃光駆動させ、ストロボ発光部１８はストロボを閃光させる。ＣＰＵ１１は、図示しない測光回路によって撮影シーンが暗いか否かを判断し、撮影シーンが暗いと判断し、且つ、撮影を行うと判断した場合（シャッタボタン押下時）には、ストロボ駆動部１７に制御信号を送る。カードＩ／Ｆ１９には、デジタルカメラ１本体の図示しないカードスロットに着脱自在に装着されたメモリ・カード３０が接続されている。
【００２９】
スイッチング電源２０は、ＣＰＵ１１からの制御信号に従って、スイッチング信号を固定パルス周期で制御し、出力電圧を一定の値に保つようにＰＷＭ制御を行うＰＷＭ固定動作モード、または、負荷の大きさに応じて、ＰＷＭ制御とＰＦＭ制御とを切り替える自動切り替え動作モードのいずれかで動作し、バッテリ（二次電池）２１の出力電圧を安定化して各部へ供給する。
【００３０】
より具体的には、スイッチング電源２０は、集積回路から構成されており、ＣＰＵ１１からの制御信号に従って、ＰＷＭ固定動作モード、または、自動切り替え動作モードのいずれかで動作するようになっている。但し、集積回路であることは一例であり、これに限定されることはない。
【００３１】
ＣＰＵ１１は、後述するような高Ｓ／Ｎを必要とする動作モードでは、パルス周期が固定のＰＷＭ固定動作モードでスイッチング電源２０を動作させるべく制御信号により指示し、後述するような高Ｓ／Ｎを必要としない動作モードでは、負荷の大きさに応じて、ＰＷＭ制御とＰＦＭ制御とを切り替える自動切り替え動作モードでスイッチング電源２０を動作させるべく制御信号により指示する。
【００３２】
高Ｓ／Ｎが必要な動作モードには、静止画キャプチャ動作モード（シャッタ半押し、シャッタ全押し（露光／全画素取り込み））、動画記録動作モード（記録中）、高感度に設定したＲＥＣ（記録）スルー動作モード（画像／映像として記録されないが、画像表示部１５での画品位に影響する）などがある。
【００３３】
高Ｓ／Ｎが不要な動作モードには、ノーマル感度ＲＥＣスルー動作モード（画像・映像として記録されない動作モード）、ＰＬＡＹ（再生）モード、メニュー操作モード、電源起動／オフモードなどがある。
【００３４】
デジタルカメラの場合、電源ＯＮ中の動作のうち、静止画記録は、一時的な動作であり、ＲＥＣスルー動作モード／ＰＬＡＹモードがＯＮ時間中の大半を占めている。したがって、その間の電力を落とす（電源効率を上げる）ことが電池寿命を向上させるのに有効である。
【００３５】
Ｂ．実施形態の動作
次に、上述した実施形態の動作について説明する。
図２は、本実施形態によるデジタルカメラの基本的な動作を参照してスイッチング電源の制御方法を説明するためのフローチャートである。まず、撮影モードであるか否かを判断し（ステップＳ１０）、撮影モードでない場合には、その他の処理へ進む。一方、撮影モードである場合には、メニュー操作中であるか否かを判断する（ステップＳ１２）。メニュー操作中であれば、キー入力部１６のユーザ操作に応じて、各種撮影モード、シーンモード等を選択し、撮影条件、ＡＦ（オートフォーカス）枠などを設定する（ステップＳ１４）。一方、メニュー操作中でない場合には、被写体像を画像表示部１５にスルー表示する（ステップＳ１６）。次に、シャッタボタンが半押しされたか否かを判断し（ステップＳ１８）、シャッタボタンが半押しされていなければ、ステップＳ１０に戻る。
【００３６】
一方、シャッタボタンが半押しされていれば、その時点での露出、シャッタ速度を設定し（ステップＳ２０）、被写体像を画像表示部１５にスルー表示する（ステップＳ２２）。次に、シャッタボタンが全押しされたか否かを判断し（ステップＳ２４）、シャッタボタンが全押しされていなければ、ステップＳ１８に戻る。つまり、シャッタボタンが半押しされた状態で、ステップＳ２０、Ｓ２２を繰り返し実行し、露出、シャッタ速度の設定、被写体像のスルー表示をリアルタイムで継続する。
【００３７】
そして、シャッタボタンが全押しされると、設定および調整された撮影条件にて、露出＆撮影処理を実行し（ステップＳ２６）、撮影した画像データを符号化／圧縮符号化し、フラッシュメモリ１４、あるいは装着されたメモリ・カード３０に保存記録し（ステップＳ２８）、該撮影した画像を画像表示部１５にレビュー表示する（ステップＳ３０）。その後、ステップＳ１０に戻り、上述した処理を繰り返す。
【００３８】
上述した処理において、ＣＰＵ１１は、高Ｓ／Ｎを必要とする動作モードでは、スイッチング電源２０をＰＷＭ固定動作モードで動作させ、高Ｓ／Ｎを必要としない動作モードでは、スイッチング電源２０を自動切り替え動作モードで動作させるように制御する。
【００３９】
上述したフローチャートでは、ステップＳ２０、Ｓ２６、Ｓ２８などが、高Ｓ／Ｎが必要な動作モードに相当し、スイッチング電源２０は、ＰＷＭ制御によるＰＷＭ固定動作モードで動作するように制御される。また、上述したステップＳ１０で「その他の処理へ」と判断された場合や、ステップＳ１４、Ｓ３０などが、高Ｓ／Ｎが不要な動作モードに相当し、スイッチング電源２０は、負荷の大きさに応じて、ＰＷＭ制御とＰＦＭ制御とを切り替える自動切り替え動作モードで動作するように制御される。ステップＳ１６、Ｓ２２においては、感度が所定値以上に設定されていれば、高Ｓ／Ｎが必要な動作モードに相当し、そうでなければ高Ｓ／Ｎが不要な動作モードに相当する。
【００４０】
また動画記録動作モードにあっては、動画記録中は上述したフローチャートの、ステップＳ１６、Ｓ２６、Ｓ２８に相当する動作が平行して処理されることになる。この場合、ステップＳ２６、Ｓ２８に相当する動作が高Ｓ／Ｎを必要とするため、動画記録中は感度に拘わらず高Ｓ／Ｎが必要な動作モードに相当する。
【００４１】
上述した実施形態によれば、スイッチング電源２０の動作モードを、Ｓ／Ｎの観点から、高Ｓ／Ｎを必要とする動作モードでは、ＰＷＭ制御によるＰＷＭ固定動作モードで動作させ、高Ｓ／Ｎを必要としない動作モードでは、負荷の大きさに応じて、ＰＷＭ制御とＰＦＭ制御とを切り替える自動切り替え動作モードで動作させるように制御するようにしたので、高効率化と高Ｓ／Ｎ化との双方を実現することができる。
【符号の説明】
【００４２】
１  デジタルカメラ
２  撮影レンズ
３  レンズ駆動ブロック
４  絞り兼用シャッタ
５  ＣＣＤ
６  ＴＧ
７  ユニット回路
８  ガンマ補正処理部
１１  ＣＰＵ
１２  ＤＲＡＭ
１３  メモリ
１４  フラッシュメモリ
１５  画像表示部
１６  キー入力部
１７  ストロボ駆動部
１８  ストロボ発光部
１９  カードＩ／Ｆ
２０  スイッチング電源
２１  バッテリ
３０  メモリ・カード
【図１】
2011114992.tif 000003
【図２】
2011114992.tif 000004
【図３】
2011114992.tif 000005
【図４】
2011114992.tif 000006